(57)【要約】【課題】折板構造や波板構造などの屋根に取り付け搬送することができ、親綱の固定や引っ掛けが容易にでき、かつ一旦引っ掛けた親綱が容易には外れない親綱張設具を提供することを目的とする。【解決手段】命綱２４が引っ掛けられる親綱２１を、屋根２０に沿って張り渡す親綱張設具１０であって、基台１１と、前記基台の一方の端部１２と直交して固定される固定梁材１３と、前記基台に沿って移動可能に、かつ直交して配される可動梁材１４と、前記基台の略中央部上に立設されたスリーブ１５と、前記スリーブにその下部を挿入し、前記親綱が固定される親綱張設用支柱１６とを備えることを特徴とする親綱張設具。【選択図】図１
2018091092.tif 000002
【特許請求の範囲】
【請求項１】
命綱が引っ掛けられる親綱を、屋根に沿って張り渡す親綱張設具であって、
基台と、
前記基台の一方の端部と直交して固定される固定梁材と、
前記基台に沿って移動可能に、かつ直交して配される可動梁材と、
前記基台の略中央部上に立設されたスリーブと、
前記スリーブにその下部を挿入し、前記親綱が固定される親綱張設用支柱とを備えることを特徴とする親綱張設具。
【請求項２】
前記親綱張設用支柱は、
親綱を固定するための親綱固定金具をその上部に備えており、
前記親綱固定金具は、
その外終端が前記親綱張設用支柱に固定され、
渦巻き状であることを特徴とする、請求項１に記載の親綱張設具。
【請求項３】
前記親綱固定金具は、渦巻き状の内終端が巻軸方向に突出したものであることを特徴とする、請求項２に記載の親綱張設具。
【発明の詳細な説明】
【技術分野】
【０００１】
本発明は、折板構造や波板構造の屋根に取り付けることができる親綱張設具に関するものである。
【背景技術】
【０００２】
作業者が屋根に上がって高所作業を行う際には、落下事故を未然に防止するために、屋根に沿って張り渡された親綱に命綱を引っ掛けて作業が行われる。
【０００３】
例えば、特許文献１には、命綱が引っ掛けられる親綱を折板構造の屋根に沿って張り渡す親綱張設用支柱取付具が記載されている。
特許文献１の親綱張設用支柱取付具は、アングル材にこのアングル材の長さ方向と直交する方向に親綱張設用支柱を突設し、このアングル材の両端部に折板構造屋根の重合突出条部を締め付け挟持する挟持部を備えた取付金具部を設け、この両端部の取付金具部の挟持部を折板構造屋根の隣接する重合突出条部にそれぞれ締め付け挟持してこの重合突出条部間に前記アングル材を架設した際、前記親綱張設用支柱が折板構造屋根に対して立設状態となるようにしている。
【先行技術文献】
【特許文献】
【０００４】
【特許文献１】実用新案登録第３０７６２０２号公報
【発明の概要】
【発明が解決しようとする課題】
【０００５】
しかし、特許文献１の親綱張設用支柱取付具は、一体構造のため重量があり搬送が容易ではなく、作業者に負担がかかる。
特に、支柱を取り付けるまでは親綱が存在しない状態であり、屋根への取り付け作業に危険が伴う。
また、屋根構造の種類に応じてそれぞれの取付穴を形成した取り付けジグを用意しなければならず、汎用性に欠けるという問題点がある。
【０００６】
そこで、本発明は、このような現状に鑑み、簡易な作業によって折板構造や波板構造屋根に取り付けすることができ、且つ簡易構造であって容易に実現可能となる親綱張設具を提供することを目的とする。
【課題を解決するための手段】
【０００７】
本発明の親綱張設具は、上記目的を達成するためになされたものであって、下記を特徴とするものである。
（１）本発明の親綱張設具は、命綱が引っ掛けられる親綱を、屋根に沿って張り渡す親綱張設具であって、
基台と、
前記基台の一方の端部と直交して固定される固定梁材と、
前記基台に沿って移動可能に、かつ直交して配される可動梁材と、
前記基台の略中央部上に立設されたスリーブと、
前記スリーブにその下部を挿入し、前記親綱が固定される親綱張設用支柱とを備えることを特徴とする。
（２）本発明の親綱張設具は、上記（１）において、
前記親綱張設用支柱は、
親綱を固定するための親綱固定金具をその上部に備えており、
前記親綱固定金具は、
その外終端が前記親綱張設用支柱に固定され、
渦巻き状であることを特徴とする。
（３）本発明の親綱張設具は、上記（２）において、
前記親綱固定金具は、渦巻き状の内終端が巻軸方向に突出したものであることを特徴とする。
【発明の効果】
【０００８】
本発明の親綱張設具は、基材に親綱張設用支柱を着脱自在に固定でき搬送が容易である。
また、嵌入・嵌脱可動な可動梁材をスライド調整することで、種々の屋根構造に対応できる。
さらに、親綱の固定や引っ掛けが容易にでき、かつ一旦引っ掛けた親綱が容易には外れることがないため作業者の安全性を増すことができる。
また、固定梁材や可動梁材に複数の取付穴が形成されているので、折板屋根や波形屋根の固定ボルトピッチが異なるものであっても取付け可能であり、複数種類の屋根構造に対応できる。
【図面の簡単な説明】
【０００９】
【図１】本発明の実施形態の親綱張設具を示す斜視図である。
【図２】実施形態の親綱張設具の可動梁材を嵌脱した（取り外した）状態を示す斜視図である。
【図３】親綱張設支柱の下部をスリーブに挿入する前の状態を示す斜視図である。
【図４】（ａ）は親綱張設支柱の上部に４個の親綱固定金具１０を取り付けた状態を示す拡大図であり、（ｂ）はそのうちの１つの拡大図である。
【図５】（ａ）は親綱張設具を波板屋根に設置した状態を示す断面図であり、（ｂ）はその内の一部の右側面を拡大した右側面図である。
【図６】親綱張設具を折板屋根に設置し、親綱のフックを親綱固定金具に固定するとともに、命綱のフックを親綱に固定した様子を示す斜視図である。
【図７】親綱張設具を折板屋根に設置し、親綱の途中を親綱固定金具の向こう側に回して固定するとともに、命綱のフックを親綱に固定した様子を示す斜視図である。
【図８】２台の親綱張設具を折板屋根に設置するとともに、（ａ）の親綱張設具には親綱のフックを親綱固定金具に固定し、（ｂ）の親綱張設具には親綱の途中を親綱張設支柱の向こう側に回して親綱固定金具に固定した様子を示す斜視図である。
【図９】親綱張設具を、突条ピッチ：２５０ｍｍ、深さピッチ：９００ｍｍの折板屋根に設置した場合の説明図であり、（ａ）は平面図、（ｂ）は正面図、（ｃ）は右側面図である。
【図１０】親綱張設具を、突条ピッチ：３５０ｍｍ、深さピッチ：６００ｍｍの折板屋根に設置した場合の説明図であり、（ａ）は平面図、（ｂ）は正面図、（ｃ）は右側面図である。
【発明を実施するための最良の形態】
【００１０】
本発明の親綱張設具の一実施態様を、図面を参照しながら説明する。
図１は、本発明の実施形態の親綱張設具を示す斜視図である。
図２は、実施形態の親綱張設具の可動梁材を嵌脱した（取り外した）状態を示す斜視図である。
図１、図２において、実施態様の親綱張設具１０は、命綱が引っ掛けられる親綱を屋根に沿って張り渡す際に用いる設備であって、
基台１１と、前記基台１１の一方の端部１２と直交して固定される固定梁材１３と、前記基台１１に沿って移動可能に、かつ直交して配される可動梁材１４と、前記基台１１の略中央部上に立設されたスリーブ１５と、前記スリーブ１５にその下部を挿入し前記親綱が固定される親綱張設用支柱１６とを備えている。
【００１１】
親綱張設具１０において、その構造体である基台１１、固定梁材１３及び可動梁材１４は、強度上、何れも金属を材質とするものが好ましく、中でも、断面Ｃ字形のＣ型鋼からなり、ウエッブ１１ａ、１３ａ、１４ａを下にし、フランジ１１ｂ、１３ｂ、１４ｂを上側に向けてＵ状に組まれている。
また、基台１１の略中央部上には、支柱支持板１１ｃを介して、親綱張設用支柱１６の下部を着脱自在に挿入して固定するためのスリーブ１５が立設されている。
【００１２】
＜可動梁材＞
可動梁材１４には、その略中央に基台１１を嵌入して固定するための嵌入部１４ｃが形成されており、屋根の構造などによって、スライド自在に基台１１の嵌入位置を調整できるようになっている。
この嵌入部１４ｃに基台１１を嵌入した後、この基台１１を嵌入部１４ｃから嵌脱不能状態に係止固定する固定機構を可動梁材１４に設けた構成としている。
【００１３】
＜スリーブ＞
図３は、親綱張設支柱１６の下部をスリーブ１５に挿入する前の状態を示す斜視図である。
図３に示すように、綱張設用支柱１６の下部を、基台１１に立設されたスリーブ１５に挿入し、挿入後は、親綱張設用支柱１６とスリーブ１５とに設けられた貫通孔１５ａ、１６ａの位置を一致させ、この貫通孔１５ａ、１６ａに支柱固定ボルト１８を挿入して両者を固定している（図５参照）。
また、この親綱張設用支柱１６をスリーブ１５から分離することによって、親綱張設具１０の軽量化が図れ、搬送がしやすくなる。
【００１４】
＜親綱固定金具＞
図４（ａ）は親綱張設支柱１６の上部に４個の親綱固定金具１９を取り付けた状態を示す拡大図であり、（ｂ）はそのうちの１つの拡大図である。
図４（ａ）（ｂ）に示すように、親綱張設用支柱１６は、親綱を固定するための親綱固定金具１９をその上部に備えており、
親綱固定金具１９は、その外終端１９ａが親綱張設用支柱１６に固定され、その内終端１９ｂが巻軸方向Ｙに突出した渦巻き状である。
【００１５】
親綱固定金具１９の個数や位置などは、特定するものではなく適宜選択できるが、実施形態では、親綱張設用支柱１６の上部に、どの方向からでも親綱を引っ掛けるために、９０°回転毎に４個取り付けられている。
また、親綱固定金具１９は渦巻き状に形成されており、渦巻きが形成される面（渦巻き面）と垂直となるようにして、親綱張設用支柱１６にはその外終端１９ａが固定されている。
さらに、渦巻きの内終端（渦巻きの最も内側になる端部）１９ｂはフリーの状態であり、渦巻きの巻軸方向Ｙ（渦巻き面とは直角方向であり、親綱張設用支柱１６に固定した場合は水平方向となる）に突出するように形成させている。
一例として、図４（ｂ）に示すように、渦巻きの外終端１９ａの延出方向に対して５°のねじれ角で渦巻き状に形成され、フリー状態の内終端１９ｂを巻軸方向Ｙ方向に突出させている。なお、この５°のねじれ角は、使用の態様によって適宜変更することができる。
このような渦巻き状に形成することによって、親綱２１の途中部を親綱固定金具１９に固定する場合は、親綱２１を下から上へ持ち上げて親綱張設用支柱１６の側面に当接させるようにして、渦巻き状の親綱固定金具１９の中に挿入して引っ掛ければよく、また、一旦、親綱固定金具１９の渦巻き中に引っ掛けた親綱２１は、渦巻き状の内終端が巻軸方向に突出して形成されているので、容易には外れにくい構造となっている。
【００１６】
＜屋根への固定＞
次に、親綱張設具の屋根への固定方法について具体的に説明する。
図５（ａ）は、親綱張設具を波板屋根に設置した状態を示す断面図であり、（ｂ）はその内の一部の右側面を拡大した右側面図である。
図示するように、親綱張設具１０の屋根２０への固定は、固定金具を用いて行う。
固定金具としては、例えば、屋根２０を、屋根２０の下方に位置する梁材２２にフック２３ａを固定するフックボルト２３を用いることができる。
フックボルト２３の上方の雄ネジ部２３ｂを、親綱張設具の固定梁材１３及び可動梁材１４の貫通孔（図示せず）に挿通して、ナットで固定する。
これによって、屋根２０の山部に沿って形成された突条２０ａに、親綱張設具１０を固定することができる。
屋根へは、屋根２０の突条２０ａと、側部梁材３および可動梁材４とが直交するように設置を行う。
【００１７】
図６は、親綱張設具を折板屋根に設置し、親綱のフックを親綱固定金具に固定するとともに、命綱のフックを親綱に通して、親綱に沿ってスライド自在に固定した様子を示す斜視図である。
図６に示すように、親綱２１のフック２１ａを、親綱張設用支柱１６の親綱固定金具１９に引っ掛けて固定し、親綱２１を親綱張設具１０間に張り渡す。
このように、親綱張設具１０を介し、親綱２１が屋根２０に沿って確実に張り渡されたら、
親綱２１に作業者の命綱２４を引っ掛ければ、屋根２０上での高所作業が安全に行える。
【００１８】
図７は、親綱張設具を折板屋根に設置し、親綱の途中を親綱固定金具の向こう側に回して固定するとともに、命綱のフックを親綱に固定した様子を示す斜視図である。
【００１９】
図８は、２台の親綱張設具を折板屋根に設置した場合の斜視図である。
（ａ）は、親綱張設具には親綱のフックを親綱固定金具に固定した場合を示し、（ｂ）は、親綱張設具には親綱の途中を親綱張設支柱の向こう側に回して親綱固定金具に固定した様子を示している。
図７，図８に示すように、親綱張設具を用いて親綱の途中を親綱固定金具に固定する方法は、種々のパターンが考えられ、適宜な方法で親綱張設具を用いることができる。
【００２０】
図９は、親綱張設具を、突条ピッチ：２５０ｍｍ、深さピッチ：９００ｍｍの折板屋根に設置した場合の説明図である。
（ａ）は平面図、（ｂ）は正面図、（ｃ）は右側面図である。
【００２１】
図１０は、親綱張設具を、突条ピッチ：３５０ｍｍ、深さピッチ：６００ｍｍの折板屋根に設置した場合の説明図である。
（ａ）は平面図、（ｂ）は正面図、（ｃ）は右側面図である。
図９、図１０は、フックボルトを用いて屋根に固定するのではなく、折板屋根の山部の突状２０ａに固定した実施例である。
図示するように、折板屋根の山部の突状２０ａのピッチが異なっていても、固定梁材１３や可動梁材１４に設けられた複数の貫通孔１３ａ、１４ａにボルトを挿入して、折板屋根の突状２０ａに直接固定することができる。
【産業上の利用可能性】
【００２２】
本発明の親綱張設具は、基材に親綱張設用支柱を着脱自在に固定でき搬送が容易である。
また、嵌入・嵌脱可動な可動梁材をスライド調整することで、種々の屋根構造に対応できる。
さらに、親綱の固定や引っ掛けが容易にでき、かつ一旦引っ掛けた親綱が容易には外れることがないため作業者の安全性を増すことができるため、産業上の利用可能性が高い。
【符号の説明】
【００２３】
１０  親綱張設具
１１  基台
１１ａ、１３ａ、１４ａ  ウエッブ
１１ｂ、１３ｂ、１４ｂ  フランジ
１１ｃ  支柱支持板
１２  基台の一方の端部
１３  固定梁材
１３ａ  貫通孔
１４  可動梁材
１４ａ  貫通孔
１４ｃ  嵌入部
１５  スリーブ
１５ａ、１６ａ  貫通孔
１６  親綱張設用支柱
１８  支柱固定ボルト
１９  親綱固定金具
１９ａ  外終端
１９ｂ  内終端
２０  屋根
２０ａ  屋根の突条
２１  親綱
２１ａ  親綱のフック
２２  梁材
２３  フックボルト
２３ａ  フックボルトのフック
２３ｂ  雄ネジ部
２４  命綱
Ｙ  巻軸方向
【図１】
2018091092.tif 000003
【図２】
2018091092.tif 000004
【図３】
2018091092.tif 000005
【図４】
2018091092.tif 000006
【図５】
2018091092.tif 000007
【図６】
2018091092.tif 000008
【図７】
2018091092.tif 000009
【図８】
2018091092.tif 000010
【図９】
2018091092.tif 000011
【図１０】
2018091092.tif 000012
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
命綱が引っ掛けられる親綱を、屋根に沿って張り渡す親綱張設具であって、
基台と、
前記基台の一方の端部と直交して固定される固定梁材と、
前記基台に沿って移動可能に、かつ直交して配される可動梁材と、
前記基台の略中央部上に立設されたスリーブと、
前記スリーブにその下部を挿入し、前記親綱が固定される親綱張設用支柱とを備え、
前記親綱張設用支柱には、その上部に、
親綱を固定するための親綱固定金具が９０度間隔で４個備えられており、
前記親綱固定金具は、
６辺の直線部で構成される矩形状渦巻きであり、
前記渦巻きの外終端が前記親綱張設用支柱に固定され、
前記渦巻きの内終端が、水平の巻軸方向に突出していることを特徴とする親綱張設具。
【手続補正２】
【補正対象書類名】明細書
【補正対象項目名】０００７
【補正方法】変更
【補正の内容】
【０００７】
本発明の親綱張設具は、上記目的を達成するためになされたものであって、下記を特徴とするものである。
すなわち、
命綱が引っ掛けられる親綱を、屋根に沿って張り渡す親綱張設具であって、
基台と、
前記基台の一方の端部と直交して固定される固定梁材と、
前記基台に沿って移動可能に、かつ直交して配される可動梁材と、
前記基台の略中央部上に立設されたスリーブと、
前記スリーブにその下部を挿入し、前記親綱が固定される親綱張設用支柱とを備え、
前記親綱張設用支柱には、その上部に、
親綱を固定するための親綱固定金具が９０度間隔で４個備えられており、
前記親綱固定金具は、
６辺の直線部で構成される矩形状渦巻きであり、
前記渦巻きの外終端が前記親綱張設用支柱に固定され、
前記渦巻きの内終端が、水平の巻軸方向に突出していることを特徴とする。